【手続補正書】
【提出日】平成23年6月1日(2011.6.1)
【手続補正１】
【補正対象書類名】明細書
【補正対象項目名】０００６
【補正方法】変更
【補正の内容】
【０００６】
前記課題を解決するため請求項１記載の発明に係るカメラにあっては、撮影する撮影手段と、撮影条件と対応して当該撮影条件で撮影された場合の被写体像の特性を表記した指標を記憶する記憶手段と、前記記憶手段に記憶されている指標を表示する表示手段と、この表示手段によって表示された指標に対するユーザの指定操作に応じて、撮影条件を設定する設定手段と、この設定手段によって設定された撮影条件に従って前記撮影手段による撮影をおこなう制御手段とを備えることを特徴とする。
また、請求項２記載の発明に係るカメラにあっては、撮影する撮影手段と、撮影シーンに対応した撮影条件を設定させるために、前記撮影シーンに対応した撮影条件を記憶する記憶手段と、前記撮影手段によって撮影される被写体像に基づき、撮影シーンを判定する撮影シーン判定手段と、この撮影シーン判定手段により判定された撮影シーンに基づいて、前記記憶手段に記憶されている撮影条件を設定させるための情報を前記被写体像にリンクさせた表示形態で表示する表示手段と、この表示手段によって表示された情報に対するユーザの指定操作に応じて、撮影条件を設定する設定手段と、この設定手段によって設定された撮影条件に従って前記撮影手段による撮影をおこなう制御手段とを備えることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、請求項３記載の発明に係るカメラにあっては、前記表示手段は、前記被写体像にリンクさせた表示形態で、前記指標を表示させることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、請求項４記載の発明に係るカメラ制御プログラムにあっては、撮影手段と、撮影条件と対応して当該撮影条件で撮影された場合の被写体像の特性を表記した指標を記憶する記憶手段を備えたカメラが有するコンピュータに、前記撮影手段による撮影の際に、前記記憶手段に記憶されている指標を表示する表示手段、この表示手段によって表示された指標に対するユーザの指定操作に応じて、撮影条件を設定する設定手段、この設定手段によって設定された撮影条件に従って前記撮影手段による撮影をおこなう制御手段としての機能を実行させることを特徴とする。
また、請求項５記載の発明に係るカメラ制御プログラムにあっては、撮影手段と、撮影シーンに対応した撮影条件を設定させるために前記撮影シーンに対応した撮影条件を記憶する記憶手段を備えたカメラが有するコンピュータに、前記撮影手段によって撮影される被写体像に基づき、撮影シーンを判定する撮影シーン判定手段、この撮影シーン判定手段により判定された撮影シーンに基づいて、前記記憶手段に記憶されている撮影条件を設定させるための情報を前記被写体像にリンクさせた表示形態で表示する表示手段、この表示手段によって表示された情報に対するユーザの指定操作に応じて、撮影条件を設定する設定手段、この設定手段によって設定された撮影条件に従って前記撮影手段による撮影をおこなう制御手段としての機能を実行させることを特徴とする。
【手続補正１１】
【補正対象書類名】明細書
【補正対象項目名】００１６
【補正方法】変更
【補正の内容】
【００１６】
また、請求項６記載の発明に係る撮影方法にあっては、撮影手段と、撮影シーンに対応した撮影条件を設定させるために前記撮影シーンに対応した撮影条件を記憶する記憶手段を備えたカメラの撮影方法であって、前記撮影手段による撮影の際に、前記記憶手段に記憶されている指標を表示する表示ステップと、この表示ステップによって表示された指標に対するユーザの指定操作に応じて、撮影条件を設定する設定ステップと、この設定ステップによって設定された撮影条件に従って前記撮影手段による撮影をおこなう制御ステップとを備えることを特徴とする。
また、請求項７記載の発明に係る撮影方法にあっては、撮影手段と、撮影シーンに対応した撮影条件を設定させるために前記撮影シーンに対応した撮影条件を記憶する記憶手段を備えたカメラの撮影方法であって、前記撮影手段によって撮影される被写体像に基づき、撮影シーンを判定する撮影シーン判定ステップと、この撮影シーン判定ステップにより判定された撮影シーンに基づいて、前記記憶手段に記憶されている撮影条件を設定させるための情報を前記被写体像にリンクさせた表示形態で表示する表示ステップと、この表示ステップによって表示された情報に対するユーザの指定操作に応じて、撮影条件を設定する設定ステップと、この設定ステップによって設定された撮影条件に従って前記撮影手段による撮影をおこなう制御ステップとを備えることを特徴とする。
【手続補正１２】
【補正対象書類名】特許請求の範囲
【補正対象項目名】全文
【補正方法】変更
【補正の内容】
【特許請求の範囲】
【請求項１】
撮影する撮影手段と、
撮影条件と対応して当該撮影条件で撮影された場合の被写体像の特性を表記した指標を記憶する記憶手段と、
前記記憶手段に記憶されている指標を表示する表示手段と、
この表示手段によって表示された指標に対するユーザの指定操作に応じて、撮影条件を設定する設定手段と、
この設定手段によって設定された撮影条件に従って前記撮影手段による撮影をおこなう制御手段と
を備えることを特徴とするカメラ。
【請求項２】
撮影する撮影手段と、
撮影シーンに対応した撮影条件を設定させるために、前記撮影シーンに対応した撮影条件を記憶する記憶手段と、
前記撮影手段によって撮影される被写体像に基づき、撮影シーンを判定する撮影シーン判定手段と、
この撮影シーン判定手段により判定された撮影シーンに基づいて、前記記憶手段に記憶されている撮影条件を設定させるための情報を前記被写体像にリンクさせた表示形態で表示する表示手段と、
この表示手段によって表示された情報に対するユーザの指定操作に応じて、撮影条件を設定する設定手段と、
この設定手段によって設定された撮影条件に従って前記撮影手段による撮影をおこなう制御手段と
を備えることを特徴とするカメラ。
【請求項３】
前記表示手段は、前記被写体像にリンクさせた表示形態で、前記指標を表示させることを特徴とする請求項１に記載のカメラ。
【請求項４】
撮影手段と、撮影条件と対応して当該撮影条件で撮影された場合の被写体像の特性を表記した指標を記憶する記憶手段を備えたカメラが有するコンピュータに、
前記撮影手段による撮影の際に、前記記憶手段に記憶されている指標を表示する表示手段、
この表示手段によって表示された指標に対するユーザの指定操作に応じて、撮影条件を設定する設定手段、
この設定手段によって設定された撮影条件に従って前記撮影手段による撮影をおこなう制御手段
としての機能を実行させることを特徴とするカメラ制御プログラム。
【請求項５】
撮影手段と、撮影シーンに対応した撮影条件を設定させるために前記撮影シーンに対応した撮影条件を記憶する記憶手段を備えたカメラが有するコンピュータに、
前記撮影手段によって撮影される被写体像に基づき、撮影シーンを判定する撮影シーン判定手段、
この撮影シーン判定手段により判定された撮影シーンに基づいて、前記記憶手段に記憶されている撮影条件を設定させるための情報を前記被写体像にリンクさせた表示形態で表示する表示手段、
この表示手段によって表示された情報に対するユーザの指定操作に応じて、撮影条件を設定する設定手段、
この設定手段によって設定された撮影条件に従って前記撮影手段による撮影をおこなう制御手段
としての機能を実行させることを特徴とするカメラ制御プログラム。
【請求項６】
撮影手段と、撮影シーンに対応した撮影条件を設定させるために前記撮影シーンに対応した撮影条件を記憶する記憶手段を備えたカメラの撮影方法であって、
前記撮影手段による撮影の際に、前記記憶手段に記憶されている指標を表示する表示ステップと、
この表示ステップによって表示された指標に対するユーザの指定操作に応じて、撮影条件を設定する設定ステップと、
この設定ステップによって設定された撮影条件に従って前記撮影手段による撮影をおこなう制御ステップと
を備えることを特徴とする撮影方法。
【請求項７】
撮影手段と、撮影シーンに対応した撮影条件を設定させるために前記撮影シーンに対応した撮影条件を記憶する記憶手段を備えたカメラの撮影方法であって、
前記撮影手段によって撮影される被写体像に基づき、撮影シーンを判定する撮影シーン判定ステップと、
この撮影シーン判定ステップにより判定された撮影シーンに基づいて、前記記憶手段に記憶されている撮影条件を設定させるための情報を前記被写体像にリンクさせた表示形態で表示する表示ステップと、
この表示ステップによって表示された情報に対するユーザの指定操作に応じて、撮影条件を設定する設定ステップと、
この設定ステップによって設定された撮影条件に従って前記撮影手段による撮影をおこなう制御ステップと
を備えることを特徴とする撮影方法。